【手続補正書】
【提出日】平成20年7月14日(2008.7.14)
【手続補正２】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
新ディスプレーエンティティ及び前ディスプレーエンティティを表示するためのディスプレーシステムに於いて、
（ａ）該新及び前ディスプレーエンティティに付随するデータを記憶するためのメモリーと、
（ｂ）該新及び前ディスプレーエンティティに付随するデータを選択的に検索するために前記メモリーに接続されたプロセサーと、
（ｃ）該新及び前ディスプレーエンティティを表示するために前記プロセサーに接続された主ディスプレーと、を具備しており、前記主ディスプレーは第１ディスプレーエンティティレイアウトに依り少なくとも１つのディスプレーエンティティボックスを表示するよう適合された主ディスプレー範囲を備えており、
（ｄ）前記プロセサーは更に、
（ｉ）該第１ディスプレーエンティティレイアウトにより規定されたディスプレーエンティティボックス内に該前ディスプレーエンティティを表示するよう該主ディスプレーに命令し、
（ｉｉ）該新ディスプレーエンティティが表示用に選択されたかを決定し、
（ｉｉｉ）主ディスプレー範囲がフルでないかを決定し、
（ｉｖ）もし（ｉｉ）及び（ｉｉｉ）が共に真であるなら、該第１ディスプレーエンティティレイアウトにより規定される該ディスプレーエンティティボックスを閉じ、該新及び前ディスプレーエンティティを収容する第２ディスプレーエンティティレイアウトを決定し、そして
（ｖ）該第２ディスプレーエンティティレイアウトにより規定されたディスプレーエンティティボックス内で該主ディスプレー範囲内に該新及び前ディスプレーエンティティを表示する、よう適合されていることを特徴とするシステム。
【請求項２】
第１ディスプレーエンティティレイアウトに依り少なくとも１つのディスプレーエンティティボックスを表示するよう適合された主ディスプレー範囲を有する主ディスプレー上に新及び前ディスプレーエンティティを表示する方法に於いて、
（ａ）該新及び前ディスプレーエンティティに付随するデータを記憶する過程と、
（ｂ）該新及び前ディスプレーエンティティに付随するデータを選択的に検索する過程と、
（ｃ）該第１ディスプレーエンティティレイアウトに依り規定されたディスプレーエン
ティティボックス内で主ディスプレー上に該前ディスプレーエンティティを表示する過程と、
（ｄ）該新ディスプレーエンティティがディスプレー用に選択されたかを決定する過程と、
（ｅ）該主ディスプレー範囲がフルでないかを決定する過程と、
（ｆ）もし（ｄ）と（ｅ）とが共に真であるなら、該第１ディスプレーエンティティレイアウトにより規定された該ディスプレーエンティティボックスを閉じ、該新及び前ディスプレーエンティティを収容する第２ディスプレーエンティティレイアウトを決定する過程と、
（ｇ）該第２ディスプレーエンティティレイアウトにより規定されるディスプレーエンティティボックス内で主ディスプレー範囲内に該新及び前ディスプレーエンティティを表示する過程と、を具備することを特徴とする方法。
【請求項３】
該新ディスプレーエンティティボックスが該前ディスプレーエンティティボックスに対し水平にそして垂直に位置付けられた１つであることを特徴とする、請求項１のシステム又は請求項２の方法。
【請求項４】
該新ディスプレーエンティティボックスが該前ディスプレーエンティティボックスの場所に位置付けられることを特徴とする請求項１のシステム又は請求項２の方法。
【請求項５】
下記動作すなわち
（Ａ）エンティティレイアウトを表現する指標を提供する過程と、
（Ｂ）前記指標が選択されたかを決定する過程と、
（Ｃ）もし（Ｂ）が真ならば、該指標により表現されたエンティティレイアウトを決定し、それを第２ディスプレーエンティティレイアウトとして使う過程と、を実行するよう前記プロセサーが更に適合されていることを特徴とする請求項１、３又は４のシステム又は該過程を（ｇ）が更に具備することを特徴とする請求項２から４のいずれかの方法。
【請求項６】
更に前記プロセサーに接続された補足ディスプレーを具備しており、前記補足ディスプレーが補足ディスプレー範囲と、該補足ディスプレー範囲内に少なくとも１つのディスプレーエンティティボックスを規定する第３ディスプレーエンティティレイアウトと、を備えており、前記プロセサーが更に
（ｖｉ）（ｉｉ）が真であり、かつ、（ｉｉｉ）が誤りである、かを決定し、もしそうであるなら、該第３ディスプレーエンティティレイアウトにより規定されるディスプレーエンティティボックス内で補足ディスプレー範囲上に該新ディスプレーエンティティを表示するよう適合されていることを特徴とする請求項１、３，４又は５のシステム。
【請求項７】
該新ディスプレーエンティティは又補足ディスプレー上に選択的に表示され、前記補足ディスプレーは補足ディスプレー範囲と、該補足ディスプレー範囲内に少なくとも１つのディスプレーエンティティボックスを規定する第３ディスプレーエンティティレイアウトと、を有しており、前記方法は更に
（ｇ）もし（ｄ）が真で、かつ、（ｅ）が誤りであれば、該第３ディスプレーエンティティレイアウトにより規定されるディスプレーエンティティボックス内で該補足ディスプレー範囲内に該新ディスプレーエンティティを表示する過程を具備することを特徴とする請求項２から５のいずれかの方法。
【請求項８】
第１及び第２ディスプレーエンティティを表示するディスプレーシステムに於いて、
（ａ）該第１及び第２ディスプレーエンティティに付随するデータを記憶するためのメモリーと、
（ｂ）該第１及び第２ディスプレーエンティティに付随する画像データを選択的に検索
するために前記メモリーに接続されたプロセサーと、
（ｃ）該第１及び第２ディスプレーエンティティを表示するために前記プロセサーに接続されたディスプレーと、を具備しており、前記ディスプレーはディスプレーエンティティレイアウトに依り少なくとも１つのディスプレーエンティティボックスを表示するよう適合されたディスプレー範囲を備えており、
（ｄ）前記プロセサーは更に、
（ｉ）第１ディスプレーエンティティレイアウトにより規定されたディスプレーエンティティボックス内で該ディスプレー範囲内に該第１及び第２ディスプレーエンティティを表示するよう該ディスプレーに命令し、
（ｉｉ）該第２ディスプレーエンティティが閉止用に選択されたかを決定し、
（ｉｉｉ）もし（ｉｉ）が真であるなら、該第１ディスプレーエンティティレイアウトにより規定された該少なくとも１つのディスプレーエンティティボックスを閉じ、該第１ディスプレーエンティティを収容するが第２ディスプレーエンティティを収容しない第２ディスプレーエンティティレイアウトを決定し、
（ｉｖ）該第２ディスプレーエンティティレイアウトにより規定されたディスプレーエンティティボックス内で該ディスプレー範囲内に該第１ディスプレーエンティティを表示する、よう適合されていることを特徴とするシステム。
【請求項９】
ディスプレーエンティティレイアウトに依り少なくとも１つのディスプレーエンティティボックスを表示するよう適合されたディスプレー範囲を有するディスプレー上に第１及び第２ディスプレーエンティティを表示する方法に於いて、
（ａ）該第１及び第２ディスプレーエンティティに付随するデータを記憶する過程と、
（ｂ）前記第１及び第２ディスプレーエンティティに付随するデータを選択的に検索する過程と、
（ｃ）第１ディスプレーエンティティレイアウトに依り規定されたディスプレーエンティティボックス内で該ディスプレー範囲内に該第１及び第２ディスプレーエンティティを表示する過程と、
（ｄ）該第２ディスプレーエンティティが閉止用に選択されたかを決定する過程と、
（ｅ）もし（ｄ）が真であるなら、該第１ディスプレーエンティティレイアウトにより規定された該少なくとも１つのディスプレーエンティティボックスを閉じ、該第１ディスプレーエンティティを収容するが該第２ディスプレーエンティティを収容しない第２ディスプレーエンティティレイアウトを決定する過程と、
（ｇ）該第２ディスプレーエンティティレイアウトにより規定されるディスプレーエンティティボックス内で該ディスプレー範囲内に該第１ディスプレーエンティティを表示する過程と、を具備することを特徴とする方法。
【請求項１０】
該第２ディスプレーエンティティは、該第１ディスプレーエンティティが該第２ディスプレーエンティティ上にドラグされた時、閉止用に選択されることを特徴とする請求項８のシステム又は請求項９の方法。
【請求項１１】
該第２ディスプレーエンティティレイアウトの該前記決定は該ディスプレーの画像解像度を考慮することを特徴とする請求項８又は１０のシステム又は請求項９又は１０の方法。
【請求項１２】
該第２ディスプレーエンティティレイアウトの該決定は該第１ディスプレーエンティティの画像解像度を考慮することを特徴とする請求項８，１０又は１１のシステム又は請求項９から１１のいずれかの方法。
【請求項１３】
第１及び第２ディスプレーエンティティを表示するディスプレーシステムに於いて、
（ａ）該第１及び第２ディスプレーエンティティに付随するデータを記憶するためのメ
モリーと、
（ｂ）該第１及び第２ディスプレーエンティティに付随するデータを選択的に検索するために前記メモリーに接続されたプロセサーと、
（ｃ）該第１及び第２ディスプレーエンティティを表示するために前記プロセサーに接続されたディスプレーと、を具備しており、前記ディスプレーは左及び頂部側部を有するディスプレー範囲を備えており、前記ディスプレーは又第１ディスプレーエンティティレイアウトに依り少なくとも１つの第１ディスプレーエンティティボックスを、そして第２ディスプレーエンティティレイアウトに依り少なくとも１つの第２ディスプレーエンティティボックスを、表示するよう適合されており、
（ｄ）前記プロセサーは更に、
（ｉ）該第１ディスプレーエンティティレイアウトにより該第１ディスプレーエンティティボックス内に該第１ディスプレーエンティティを表示するよう該ディスプレーに命令し、
（ｉｉ）第２ディスプレーエンティティレイアウトが選択されたかを決定し、
（ｉｉｉ）もし（ｉｉ）が真であるなら、該第１ディスプレーエンティティレイアウトに依り規定される該第１ディスプレーエンティティボックスを閉じ、該第２ディスプレーエンティティレイアウトに依り規定される第２ディスプレーエンティティボックス内に該第１及び第２ディスプレーエンティティを表示するよう適合されていることを特徴とするシステム。
【請求項１４】
左及び頂部側部を有するディスプレー範囲を備えるディスプレー上に第１及び第２ディスプレーエンティティを表示する方法であるが、前記ディスプレーが又第１ディスプレーエンティティレイアウトに依り少なくとも１つの第１ディスプレーエンティティボックスを、そして第２ディスプレーエンティティレイアウトに依り少なくとも１つの第２ディスプレーエンティティボックスを、表示するよう適合されている該方法に於いて、
（Ａ）該第１及び第２ディスプレーエンティティに付随する画像データを記憶する過程と、
（Ｂ）該第１及び第２ディスプレーエンティティに付随する画像データを選択的に検索する過程と、
（Ｃ）該第１ディスプレーエンティティレイアウトに依り該第１ディスプレーエンティティボックス内に該第１ディスプレーエンティティを表示する過程と、
（Ｄ）第２ディスプレーエンティティレイアウトが選択されたかを決定する過程と、
（Ｅ）もし（Ｄ）が真であるなら、該第１ディスプレーエンティティレイアウトにより規定された該第１ディスプレーエンティティボックスを閉じ、該第２ディスプレーエンティティレイアウトに依り規定された第２ディスプレーエンティティボックス内に該第１及び第２ディスプレーエンティティを表示する過程と、を具備することを特徴とする方法。
【請求項１５】
下記動作すなわち
（ｉｖ）該第１ディスプレーエンティティボックスより小さい寸法を有するハイライトボックスが選択されたかを決定することにより第２ディスプレーエンティティレイアウトが選択されたかを決定する過程を実行するよう該プロセサーが更に適合されていることを特徴とする請求項１３のシステム又は該過程を更に具備することを特徴とする請求項１４の方法。
【請求項１６】
下記動作すなわち
（ｖ）／（Ｇ）該ハイライトボックスの垂直及び水平寸法を決定する過程と、
（ｖｉ）／（Ｈ）該ハイライトボックスが実施用に選択されたかを決定する過程と、
（ｖｉｉ）／（Ｉ）もし（ｖｉ）／（Ｈ）が真であるなら、該第２ディスプレーエンティティボックスの該垂直及び水平寸法が実質的に該ハイライトボックスの該垂直及び水平寸法に対応するよう該第２ディスプレーエンティティレイアウトを決定する過程と、を
実行するよう該プロセサーが更に適合されていることを特徴とする請求項１５のシステム又は該過程を更に具備することを特徴とする請求項１５の方法。
【請求項１７】
該ディスプレー範囲が垂直境界線を有しており、下記動作すなわち、
該ハイライトボックスの垂直寸法が該ディスプレー範囲の左側部と該垂直境界線との間の距離以下であるかを決定する過程と、そしてもしそうであるなら、該第２ディスプレーエンティティボックスの垂直寸法を、該ディスプレー範囲の該左側部と該垂直境界線との間の該距離と等しくなるよう設定する過程と、を実行するよう該前記システムに具備される該プロセサーが更に適合されていることを特徴とする請求項１６のシステム又は該過程を更に具備することを特徴とする請求項１６の方法。
【請求項１８】
該ディスプレー範囲が水平境界線を有しており、下記動作すなわち、
該ハイライトボックスの水平寸法が該ディスプレー範囲の頂部側部と該水平境界線との間の距離以下であるかを決定する過程と、そしてもしそうであるなら、該第２ディスプレーエンティティボックスの水平寸法を、該ディスプレー範囲の該頂部側と該水平境界線との間の該距離と等しくなるよう設定する過程と、を実行するよう該前記システムが具備するプロセサーが更に適合されていることを特徴とする請求項１６のシステム又は該過程を更に具備することを特徴とする請求項１６の方法。
【請求項１９】
該ディスプレー範囲は又右側部を有し、該垂直境界線はディスプレー範囲内で、該左及び右側部間の道の２分の１、該左及び右側部間の道の３分の１、該左及び右側部間の道の４分の１、から成るグループから選択される位置、に位置付けられることを特徴とする請求項１７のシステム又は方法。
【請求項２０】
該ディスプレー範囲は又底部側部を有し、該水平境界線はディスプレー範囲内で、該頂部及び底部側部間の道の２分の１、該頂部及び底部側部間の道の３分の１、該頂部及び底部側部間の道の４分の１、から成るグループから選択される位置、に位置付けられることを特徴とする請求項１８のシステム又は方法。
【請求項２１】
ディスプレーエンティティを表示するディスプレーシステムであるが、前記ディスプレーエンティティがディスプレーサブエンティティを有する該システムに於いて、
（ａ）該ディスプレーエンティティに付随するデータを記憶するためのメモリーと、
（ｂ）該ディスプレーエンティティに付随するデータを選択的に検索するために前記メモリーに接続されたプロセサーと、
（ｃ）該ディスプレーエンティティを表示するために前記プロセサーに接続された原始ディスプレーと、を具備しており、前記原始ディスプレーは少なくとも１つのディスプレーサブエンティティを表示するよう適合された原始ディスプレー範囲を備えており、前記システムは又
（ｄ）該ディスプレーエンティティを表示するために前記プロセサーに接続された隣接ディスプレーを具備しており、前記隣接ディスプレーは少なくとも１つのディスプレーサブエンティティを表示するよう適合された隣接ディスプレー範囲を備えており、
（ｅ）前記プロセサーは更に、
（ｉ）該原始ディスプレー範囲内でディスプレーエンティティボックス内に該ディスプレーエンティティを表示し、
（ｉｉ）該ディスプレーエンティティのミラーリングが選択されたかを決定し、そして
（ｉｉｉ）もし（ｉｉ）が真であるなら、該原始ディスプレー範囲内に該ディスプレーエンティティの該第１ディスプレーサブエンティティを、そして該隣接ディスプレー範囲内に該ディスプレーエンティティの該第２ディスプレーサブエンティティを、表示するよう適合されていることを特徴とするシステム。
【請求項２２】
原始ディスプレー及び隣接ディスプレー上にディスプレーエンティティを表示する方法であるが、前記ディスプレーエンティティはディスプレーサブエンティティを有し、該原始ディスプレーは原始ディスプレー範囲を有しそして該隣接ディスプレーは隣接ディスプレー範囲を有する場合の該方法に於いて、
（ａ）該ディスプレーエンティティに付随するデータを記憶する過程と、
（ｂ）該ディスプレーエンティティに付随するデータを選択的に検索する過程と、
（ｃ）該原始ディスプレー範囲内でディスプレーエンティティボックス内に該ディスプレーエンティティを表示する過程と、
（ｄ）該ディスプレーエンティティのミラーリングが選択されたかを決定する過程と、そして
（ｅ）もし（ｄ）が真であるなら、該原始ディスプレー範囲内に該ディスプレーエンティティの第１ディスプレーサブエンティティを、そして該隣接のディスプレー範囲内に該ディスプレーエンティティの第２ディスプレーサブエンティティを、表示する過程と、を具備することを特徴とする方法。
【請求項２３】
前記原始及び隣接のディスプレーがディスプレーエンティティボックスを表示するよう適合されており、下記動作すなわち
（ｉｖ）／（ｆ）該ディスプレーエンティティボックスが選択され、該原始ディスプレーから該隣接ディスプレーまで拡張されたかを決定する過程と、
（ｖ）／（ｇ）もし（ｉｖ）／（ｆ）が真であるなら、指標を表示し、そして該指標が選択されたかを決定する過程と、そして
（ｖｉ）／（ｈ）もし（ｖ）／（ｇ）が真であるなら、該ディスプレーエンティティのミラーリングが選択されたかを決定する過程と、を実行するよう該前記システムに具備された該プロセサーが更に適合されていることを特徴とする請求項２１のシステム又は該過程を更に具備することを特徴とする請求項２２の方法。